(57)【要約】      （修正有）【課題】粘着テープを切断用具を使わず手で容易に切断できて、切断長さは誰が切っても一定の長さになり、一定の長さの範囲に広告宣伝を效果的に行えるものとする。さらに、包装紙、梱包箱に粘着テープを貼り付けられたものが剥がし易い粘着テープを提供する。【解決手段】３０〜５０ｍ巻きの粘着テープを、一定の長さ間隔１にミシン目５を入れて、容易に手で切断する。一定の切断長さの範囲に、はがしぐち部分２と広告宣伝文字３等の印刷部分をとる。はがしぐち部分は、他との区別をするため色分けを行い、粘着側４に薄膜フィルムを増し貼りして強度を高めて、剥ぎ取り時に粘着テープが裂き切れないようにする。このはがしぐちは包装紙等に粘着せず、剥がし易いものとする。【選択図】図１
0003170002.tif 000002
【実用新案登録請求の範囲】
【請求項１】
３０ｍ巻き、５０ｍ巻きの粘着テープ本体から、粘着テープを引き剥がして、一定の長さで、切断用具を使用せず、ミシン目の切り込みを入れた部分を、手で容易に切断できる粘着テープ。
【請求項２】
粘着テープの一定長さで切断される範囲内に、広告文字やイラストを印刷して、広告内容を途中で切断されることなく、明確に表示されて宣伝効果等が失われない粘着テープ。
【請求項３】
包装紙や梱包箱にはられた粘着テープを剥ぎ取る場合、途中で粘着テープが裂け切れたりするため、はがしぐちを作り、その部分に粘着剤側から薄膜フィルム等を増し貼りをして、補強する、このはがしぐち部分は包装紙等に粘着しないものとする、粘着テープ素材の強度の高いものは、はがしぐち部分は粘着剤のないものとする。
【請求項４】
はがしぐちは色分けをしたりはがしぐちと文字の書き込みを行うなど、他の部分と明確に区別させ、確認しやすいものとする。
【請求項５】
切断する一定の長さは、５ｃｍ、７ｃｍ、１０ｃｍ、３０ｃｍ、５０ｃｍ、１００ｃｍ、等で、粘着テープの貼り付け用途に応じて、各種長さ別の製品をつくる。
【考案の詳細な説明】
【技術分野】
【０００１】本考案は、ハサミや切断用具を用いることなく、一定の長さで簡単に切断できる粘着テープである。
【背景技術】
【０００２】従来の各種粘着テープの切断は、ハサミや切断用具を用いているが、ハサミで切断する場合は、粘着物がハサミに付着して、容易に除去することができなかったり、附属の切断用具の切り歯に、指をひっかけるなどの、けがをしていた、また、広告用に粘着テープに印刷されている店名なども、切断位置が定まらないため、店名やイラスト図の中途半端な位置で切断される、さらに、包装品に貼られた粘着テープが剥しにくい。
【先行技術文献】
【特許文献】
【０００３】
【特許文献１】
【非特許文献】
【０００４】
【非特許文献１】
【考案の概要】
【考案が解決しようとする課題】
【０００５】粘着テープを、包装紙や梱包箱などに貼り付ける場合、粘着テープを本体から一定の長さに引き剥がし、手を持ち替えて、ハサミや切断刃物で切っていた、包装品や箱などは一定の寸法に統一して利用していることが多ので、その長さの一定寸法で、粘着テープを手で簡単に切断できないか、また、粘着テープに印刷された広告文字やイラストなどが途中で切られる事なく明確にする、  さらに、包装紙や梱包箱に貼られた粘着テープを、はがす時に粘着テープのはがしぐちの部分が途中で裂けるなど、手間がかかる。
【課題を解決するための手段】
【０００６】粘着テープを、手で簡単に切断するために、一定の長さで切れるようミシン目を入れる、一定のミシン目切断長さは、包装品、梱包箱の長さに合わせた５ｃｍ、１０ｃｍ、５０ｃｍ等とする、はがしぐちの先端部分は、粘着テープの粘着剤側に、粘着のない薄膜シートを７ｍｍ幅で増し張りして強度をもたせる、また、粘着テープの強度の高いものには、粘着剤のない部分をつくり、はがしぐちとする，  このはがしぐちは他の部分と色を変えて区別する。
【考案の效果】
【０００７】粘着テープが、手で簡単に切断できるため、多くの包装や梱包の作業効率が高くなる、また、切断のときに切断用具を使用しないため、誤ってケガをすることもない。粘着テープに宣伝イラストなど効果的な書き込みができる。  また、梱包箱等に張った粘着テープにはがしぐちを作ることで、残さず全部、容易に剥しやすくなるため、異質物を残さなくなる。
【図面の簡単な説明】
【０００８】
【図１】本考案の一定の長さで切断できる粘着テープの平面図である。
【図２】本粘着テープの断面図である。
【考案を実施するための形態】
【０００９】３０ｍ巻き、５０ｍ巻きの粘着テープ本体から、手で粘着テープを引き剥し出して、一定長さのミシン目の部分で、力を入れて引きちぎる。  引き剥し始めの段階から、梱包箱の貼り始めに貼り付け、そのまま引き剥し梱包箱全体に貼り付けた後に、力を入れて引きちぎれば、一定の長さで貼りあがり、誰が作業をしても同様に貼りあがって、余分な長さにならず、経済的である。また、はがしぐちが色分けされるため、容易にその部分が確認できる。
【実施例】
【００１０】以下、添付図面に従って実施例を説明する。
１は、３０ｍ巻き、５０ｍ巻きの粘着テープ本体を、一定の長さごとに切断する範囲であり、素材はセロハン、薄膜フィルム、紙質、繊維質、ビニール等になる、この一定の長さとは、包装紙、梱包箱等の、とめ部分や口ふたの貼り付け用途により、５ｃｍ、７ｃｍ、１０ｃｍ、３０ｃｍ、５０ｃｍ、１００ｃｍ等に切断できる区分別の製品とする。【００１１】２は、はがしぐちとなり、長さは、７ｍｍ程度とする。
３は、広告宣伝の文字やイラストを印刷して、訴求效果を上げる、または素材のままとする。
４は、はがしぐち部分の、粘着剤側に粘着のない薄膜フィルムを増し貼りして強度を上げる、粘着テープの強度の高い素材の場合は、はがしぐちを接着剤のない部分とする、また、はがしぐちは他の部分と色を変えたり、はがしぐちと文字表示をする。【００１２】５は、一定の長さの切断部分であり、手で容易に粘着テープを切断するために、ミシン目を入れる部分である。
【符号の説明】
【００１３】１    粘着テープの切断長さ
２    はがしぐち
３    広告文字、イラスト印刷部分
４    はがしぐちの補強、色分け、粘着なし、の部分
５    切断容易なミシン目
【図１】
0003170002.tif 000003
【図２】
0003170002.tif 000004
【手続補正書】
【提出日】平成23年6月8日(2011.6.8)
【手続補正１】
【補正対象書類名】実用新案登録請求の範囲
【補正対象項目名】全文
【補正方法】変更
【補正の内容】
【実用新案登録請求の範囲】
【請求項１】
手で容易に切断するためのミシン目の切込みを、一定の長さごとに有することを、特徴とする粘着テープ。
【請求項２】
前記ミシン目の切込みによって、粘着テープが一定の長さで切断される範囲内に、広告内容を途中で切断されることなく、印刷をしたことを特徴とする請求項１に記載の粘着テープ。
【請求項３】
前記ミシン目の切り込みに沿って、粘着剤側から薄膜フィルムを増し張りをした、非粘着のはがしぐちを具えたことを特徴とする請求項１に記載した粘着テープ。
【請求項４】
前記はがしぐちは色分けしたり、はがしぐちと文字の書き込みを行うなど、他の部分と明確に区分させ、確認しやすい請求項３に記載の粘着テープ。
【請求項５】
ミシン目によって切断する一定の長さは、５ｃｍ、７ｃｍ、１０ｃｍ、３０ｃｍ、５０ｃｍ、１００ｃｍ、等で、粘着テープの貼り付け用途に応じた、切断長さ別であることを特徴とする請求項１に記載の粘着テープ。